(57)【要約】【課題】  本発明はゴルフクラブヘッドに関し、設計の自由度の拡大と重心位置の最適化によるヘッドバランスの向上を図ったゴルフクラブヘッドを提供することを目的とする。【解決手段】  少なくともフェース部，トップ部，ソール部により形成される中空構造のゴルフクラブヘッドであって、フェース部を除くその他の部位同士の連設部たるゴルフクラブヘッドの頂部、またはフェース部を除き複数の面領域で形成されたその他の部位の面領域の連設部たるゴルフクラブヘッドの頂部のうち、少なくとも一つの頂部に開口部を形成し、当該開口部に、ヘッド本体より比重の大きな材料で成形したウエイト部材を嵌合すると共に、当該ウエイト部材の外面を、連設部たる頂部と同一の外形形状としたことを特徴とする。【選択図】      図４
2005046507.tif 000002
【特許請求の範囲】
【請求項１】
少なくともフェース部，トップ部，ソール部により形成される中空構造のゴルフクラブヘッドであって、フェース部を除くその他の部位同士の連設部たるゴルフクラブヘッドの頂部、またはフェース部を除き複数の面領域で形成されたその他の部位の面領域の連設部たるゴルフクラブヘッドの頂部のうち、少なくとも一つの頂部に開口部を形成し、当該開口部にウエイト部材を嵌合すると共に、当該ウエイト部材の外面を、連設部たる頂部と同一の外形形状としたことを特徴とするゴルフクラブヘッド。
【請求項２】
ソール部が複数の面領域で形成された中空構造のゴルフクラブヘッドであって、当該ソール部の複数の面領域の連設部たる頂部のうち、少なくとも一つの頂部に開口部を形成し、当該開口部にウエイト部材を嵌合すると共に、当該ウエイト部材の外面を、連設部たる頂部と同一の外形形状としたことを特徴とする請求項１に記載のゴルフクラブヘッド。
【請求項３】
開口部は、連設部たる頂部に沿って形成され、当該開口部にウエイト部材が頂部に沿って嵌合していることを特徴とする請求項１または請求項２に記載のゴルフクラブヘッド。
【請求項４】
開口部は、連設部たる頂部に沿って少なくともゴルフクラブヘッドのトゥ，ヒール方向またはフェース，バック方向に形成され、当該開口部にウエイト部材が頂部に沿って嵌合していることを特徴とする請求項１乃至請求項３に記載のゴルフクラブヘッド。
【請求項５】
ウエイト部材は、一部に内方へ突出する肉厚部が形成されていることを特徴とする請求項１乃至請求項４のいずれか１項に記載のゴルフクラブヘッド。
【請求項６】
肉厚部は、ゴルフクラブヘッドのトゥ，ヒール方向及びフェース，バック方向に形成される連設部たる頂部の交差部近傍に形成されていることを特徴とする請求項５に記載のゴルフクラブヘッド。
【発明の詳細な説明】
【技術分野】
【０００１】
本発明は、中空なヘッド本体にウエイト部材を装着したゴルフクラブヘッドに関する。
【背景技術】
【０００２】
近年、ウッドと称されるゴルフクラブは、ヘッド本体をチタン合金やステンレス，カーボン繊維等の材料で中空に成形したゴルフクラブヘッド（以下、「ヘッド」という）が広く使用されている。
そして、従来、この種のヘッドには、ヘッド本体より比重の大きな材料で成形したウエイト部材が装着されており、このウエイト部材による重心位置の最適化（重心高さ，重心深度，慣性モーメント等の最適化）によってヘッドバランスの向上が図られている。そして、従来、ウエイト部材の取付構造として、ウエイト部材をヘッド本体のソール部の内側に接合したり、下記の特許文献１に開示されるようにヘッド本体より比重の大きな材料で薄肉なソールプレートを成形して、その一部に肉厚なウエイト部を一体に設けたり、或いは特許文献２に開示されるようにヘッド本体のソール部の底面に外方に開口する有底の凹部を設けて、当該凹部内にウエイト部材を嵌合する等の構造が知られている。
【特許文献１】特開平９−２０１４３２号公報
【特許文献２】特開２００１−２１２２７２号公報
【発明の開示】
【発明が解決しようとする課題】
【０００３】
しかし乍ら、ウエイト部材をソール部の内側に接合する従来構造にあっては、ソール部の肉厚部分によって重心が下げられず、また、ソール部とウエイト部材との間に形状の差異があると、両者間に隙間が発生して打球時に異音が発生してしまう虞があった。
また、特許文献１に開示されたヘッドは、ウエイト部以外の薄肉なソールプレートもヘッド本体より比重の大きな材料で成形されているため、ウエイト部による重量の集中が図れず、また、一般にソールプレートのトゥ，ヒール側及びバック側が上方に湾曲して延設される構造上、重心位置が上がって低重心化を図ることが難しい欠点があった。
【０００４】
そして、特許文献２に開示されたヘッドにあっては、ソール部の底面に凹部を設けた構造上、ソール部の形状が複雑になって製造上の金型成形が面倒であると共に、当該凹部によってウエイト部材の形状や大きさが制約されてしまうため、設計の自由度が少なくなる等の欠点が指摘されている。
また、ウエイト部材に代え、ソール部全体をヘッド本体より比重の大きな材料で成形してヘッドの低重心化を狙ったヘッドも知られているが、特許文献１に開示された従来例と同様、重量の集中が図れず、重量を有する割にはヘッドの低重心化が図れないといった欠点があった。
【課題を解決するための手段】
【０００５】
本発明は斯かる実情に鑑み案出されたもので、設計の自由度の拡大と重心位置の最適化によるヘッドバランスの向上を図ったヘッドを提供することを目的として、請求項１に係る発明は、少なくともフェース部，トップ部，ソール部により形成される中空構造のヘッドであって、フェース部を除くその他の部位同士の連設部たるヘッドの頂部、またはフェース部を除き複数の面領域で形成されたその他の部位の面領域の連設部たるヘッドの頂部のうち、少なくとも一つの頂部に開口部を形成し、当該開口部にウエイト部材を嵌合すると共に、当該ウエイト部材の外面を、連設部たる頂部と同一の外形形状としたことを特徴とする。
【０００６】
そして、請求項２に係る発明は、請求項１に記載のヘッドに於て、ソール部が複数の面領域で形成された中空構造のヘッドであって、当該ソール部の複数の面領域の連設部たる頂部のうち、少なくとも一つの頂部に開口部を形成し、当該開口部にウエイト部材を嵌合すると共に、当該ウエイト部材の外面を、連設部たる頂部と同一の外形形状としたことを特徴とする。
【０００７】
また、請求項３に係る発明は、請求項１または請求項２に記載のヘッドに於て、開口部は、連設部たる頂部に沿って形成され、当該開口部にウエイト部材が頂部に沿って嵌合していることを特徴とし、請求項４に係る発明は、請求項１乃至請求項３に記載のヘッドに於て、開口部は、連設部たる頂部に沿って少なくともヘッドのトゥ，ヒール方向またはフェース，バック方向に形成され、当該開口部にウエイト部材が頂部に沿って嵌合していることを特徴とする、
そして、請求項５に係る発明は、請求項１乃至請求項４のいずれか１項に記載のヘッドに於て、ウエイト部材は、一部に内方へ突出する肉厚部が形成されていることを特徴とし、請求項６に係る発明は、請求項５に記載のヘッドに於て、肉厚部は、ヘッドのトゥ，ヒール方向及びフェース，バック方向に形成される連設部たる頂部の交差部近傍に形成されていることを特徴としている。
【発明の効果】
【０００８】
請求項１及び請求項３に係る発明によれば、外方に突出するヘッドの頂部に設けた開口部にウエイト部材を嵌合したので、ウエイト部材による重心高さ，重心深度，慣性モーメント等の最適化が容易となり、ヘッドの最適バランスが得られ易い利点を有する。
また、ウエイト部材の厚み方向の形状を任意に変更することで、設計の自由度が向上する利点を有する。
【０００９】
そして、請求項２に係る発明によれば、ヘッドの低重心化を図ることができる。
また、請求項４に係る発明によれば、トゥ，ヒール方向にウエイト部材を配することで慣性モーメントを大きくすることができ、フェース，バック方向にウエイト部材を配すことで、スイングのブレをなくすことができる等、ウエイト部材によってヘッドの最適バランスを得ることができる。
【００１０】
更にまた、請求項５に係る発明によれば、肉厚部の位置を任意に変更することで設計の自由度が向上し、請求項６に係る発明の如く肉厚部を頂部の交差部近傍に設けることで、ヘッドの低重心化がより確実に図れることとなる。
【発明を実施するための最良の形態】
【００１１】
以下、本発明の実施形態を図面に基づいて詳細に説明する。
図１乃至図４は、請求項１乃至請求項６に係る発明をフェアウェイウッドのヘッドに適用した第一実施形態を示し、図１に於て、１はトップ部（クラウン部）３，ソール部５及びサイド部７が、チタン合金やマレージング鋼，ステンレス鋼等の金属材料で一体に鋳造された中空なヘッド本体で、当該ヘッド本体１は比重が２．５以上８．０以下に設定されている。
【００１２】
そして、図１，図３及び図４に示すようにヘッド本体１のフェース側に設けた開口部９に、チタン合金等からなる圧延や鍛造またはプレス成形等の塑性加工されたフェースプレート１１が溶接されてヘッド１２が形成されており、フェースプレート１１はヘッド１２のフェース部を構成する。そして、図２及び図４に示すようにヘッド本体１のヒール側には、トップ部３からソール部５に亘ってシャフト止着孔１３が貫通する筒状のシャフト止着部１５が、ヒール壁１７，フェースプレート１１との間に夫々間隙を開けてヘッド本体１と一体に設けられており、シャフト止着部１５はヘッド本体１の上方へ突設されてホーゼル部１９を形成している。そして、シャフト止着孔１３にシャフト２１がトップ部３側からソール部５に亘って挿着され、シャフト２１の挿入側端部にプラグ２３がソール部５と面一に止着されている。
【００１３】
また、ソール部５は、ヘッド１２のフェース，バック方向幅の略中心の基準線Ｐを境にフェース側が、ヘッド１２のトゥ，ヒール方向幅の略中心の基準線Ｑを境にトゥ，ヒール方向へ夫々斜め上方に立ち上がった略平面形状の面領域たるトゥ側ソール部５ａとヒール側ソール部５ｂとで形成されると共に、基準線Ｐを境にソール部５のバック側が、後方へ斜め上方に立ち上がった略平面形状の面領域たるバック側ソール部５ｃで形成されており、斯かる構成によって、ゴルフクラブ（以下、「クラブ」という）２５を振り抜く際に、トゥ側ソール部５ａ及びヒール側ソール部５ｂと地面との接触を防止してクラブ２５の振の抜きをよくすると共に、打球後の地面とバック側ソール部５ｃとの接触をなくして安定したスイングができるようになっている。
【００１４】
このため、図示するようにソール部５には、フェース，バック方向へトゥ側ソール部５ａとヒール側ソール部５ｂとの連設部たるヘッド１２の頂部Ｔ１が外方に突出すると共に、トゥ，ヒール方向へ、トゥ側ソール部５ａ，ヒール側ソール部５ｂとバック側ソール部５ｃとの連設部たるヘッド１２の頂部Ｔ２が外方に突出して、図４の如く両頂部Ｔ１，Ｔ２がソール部５の中心でＴ字状に交差した形状となっている。
【００１５】
そして、本実施形態は、ソール部５に上記頂部Ｔ１に沿って開口部２７をヘッド１２のフェース，バック方向に設けて、当該開口部２７にウエイト部材２９をソール部５から露出するように嵌合したことを特徴とする。
図４に示すように開口部２７は、前記頂部Ｔ１を中心に左右対称な平面視矩形状をなし、各角部はアール状に成形されている。
【００１６】
一方、図３及び図４に示すようにウエイト部材２９は、上記開口部２７に嵌合可能な平面視同一形状に鋳造されており、その材料として、タングステン１５〜７０重量％，鉄１５〜７０重量％，ニッケル９〜６５重量％を少なくとも含む比重９以上のタングステン合金が用いられている。
このタングステン合金は、タングステンにニッケルと鉄を加えたことで溶融温度が下がり、また、鉄を加えたことで湯流れが向上して、鋳造や溶接が容易である。
【００１７】
そして、図３及び図４に示すようにウエイト部材２９には、両頂部Ｔ１，Ｔ２の交差部Ｘを中心とする肉厚部３１が上方に向かって突設されており、図３に示すように肉厚部３１はウエイト部材２９と同一幅でその上面は矩形状に成形されると共に、そのフェース側とバック側はアール状に成形されて、肉厚部３１がウエイト部材２９の最大厚肉部分となっている。そして、肉厚部３１を除くウエイト部材２９はソール部５と均一な肉厚で成形されており、ウエイト部材２９の底面（外面）は連設部たる頂部Ｔ１，Ｔ２と同一の外形形状とされて、ソール部５と面一に成形されている。
【００１８】
ところで、図４は図１のIV−IV線断面図を示し、図中、Ａ，Ｂは、夫々、ライ角通りにヘッド１２を接地した際のヘッド１２のフェース，バック方向の上方視長さ寸法とトゥ，ヒール方向の上方視幅寸法を示すと共に、Ｃ，Ｄは、夫々、ウエイト部材２９のフェース，バック方向の長さ寸法とトゥ，ヒール方向の幅寸法、そして、Ｅは肉厚部３１のフェース，バック方向の長さ寸法を示している。
【００１９】
そして、本実施形態では、上記Ａ〜Ｅの関係が次の「1」〜「3」の如く設定されている。
「1」 ＣはＡの５０〜８０％の範囲に設定されている。
即ち、Ａに対しＣが５０％より短くなると、所定重量のウエイト部材を取り付ける際に一部分に重量が集中してしまうため、ウエイト部材の高さが高くなってヘッドの低重心化が図れず、また、スイング時にウエイト部材がヘッドのブレを抑制することができないからである。
【００２０】
一方、Ａに対しＣが８０％を越えてしまうと、重量を有する割にヘッドの低重心化が図れず、また、ソール部をヘッド本体と別体で成形してこれをヘッド本体に接合する際に、溶接熱がウエイト部材に影響を及ぼしてしまう虞があるからである。
「2」 ＤはＢの１０〜４０％の範囲に設定されている。
即ち、Ｂに対しＤが１０％より短くなると、所定重量のウエイト部材を取り付ける際に一部分に重量が集中するため、ウエイト部材の高さが高くなってヘッドの低重心化が図れず、また、Ｂに対しＤが４０％を越えてしまうと、重量を有する割にヘッドの低重心化が図れず、また、スイング時にヘッドがブレ易くなってボールをセンターでとらえ難くなるからである。
【００２１】
「3」 ＥはＣの２０〜４０％の範囲に設定されており、この範囲を外すと、所定重量のウエイト部材を取り付ける際に一部分に重量が集中し、ウエイト部材の高さが高くなってヘッドの低重心化が図り難くなるからである。
また、図３に示すようにフェース側の開口部９の最下縁９ａとソール部５の開口部２７の最前縁２７ａとの間には、上記「1」で既述した如くフェースプレート１１とウエイト部材２９の互いの溶接熱の影響を受けることがないように所定の距離（例えば、４ｍｍ程度）が確保されている。
【００２２】
また、ウエイト部材２９の成形材料としては、既述したタングステン合金の他、例えば黄銅等の銅合金，鉛，亜鉛，錫，金，銀，タルタン及びその合金といった比重６．０以上２０．０以下の金属材料も使用可能である。
本実施形態はこのように構成されており、ヘッド１２を装着したクラブ２５で打球してボールが打ち出されるが、既述した構造からなるトゥ側ソール部５ａ，ヒール側ソール部５ｂ，バック側ソール部５ｃの３つの面領域でソール部５が形成されているため、安定したスイングが可能となる。
【００２３】
そして、ソール部５の最も外方に突出する頂部Ｔ１に沿って開口部２７を設けて、当該開口部２７にウエイト部材２９をソール部５から露出させて嵌合したことで、ソール部の内側にウエイトを接合した従来構造に比し効果的にヘッド１２の低重心化が図られる。
また、基準線Ｑを中心として左右対称なウエイト部材２９が、ヘッド１２のフェース側からバック側に向かって縦長に配置されているため、ウエイト部材２９による重量の中央部への集中が図れ、而も、斯様にウエイト部材２９を配置したことで、スイング時にウエイト部材２９がヘッド１２の左右方向のブレを抑制して良好な打球の方向性を確保する。
【００２４】
そして、ウエイト部材２９の形状（厚さ方向）や肉厚部３１の位置を適宜変更することで、ウエイトバランスやスイートスポットが変化して打ち出し角度の調整等が可能となる。
このように本実施形態によれば、ソール部５の最も外方に突出する頂部Ｔ１に沿って開口部２７を設けて当該開口部２７にウエイト部材２９を嵌合したことで、ヘッド１２の低重心化が図れると共に、基準線Ｑを中心に左右対称なウエイト部材２９をヘッド１２のフェース側からバック側に向かって縦長に配置したことで、ウエイト部材２９による重量の中央部への集中によってスイング時にヘッド１２がブレなくなる等、ヘッドバランスの最適化が図れることとなった。
【００２５】
また、中空なヘッド本体１内に突出するウエイト部材２９の形状や肉厚部３１の位置等を任意に変更することで設計の自由度が向上する利点を有する。
図５は請求項１乃至請求項６の第二実施形態に係るヘッドを示し、本実施形態は、「肉厚部３１の位置を適宜変更することで、ウエイトバランスやスイートスポットが変化して打ち出し角度の調整等が可能となる」とした第一実施形態の効果を具体化したもので、その特徴は、第一実施形態の構造に比しウエイト部材２９-1に設ける肉厚部３１-1をフェース側にずらしたもので、本実施形態に係るヘッド１２-1によれば、ライ角通りにヘッド１２-1を接地させた際に、更に肉厚部３１-1が下方に配置されることでより低重心化が図れると共に、斯様に肉厚部３１-1をフェース側に配置したことで、ヘッド１２-1のスイートスポットが下がるため、打球時の打ち出し角度が高くなってボールの飛距離が向上する利点を有する。
【００２６】
図６及び図７は請求項１乃至請求項３の第三実施形態に係るヘッドを示し、本実施形態に係るヘッド１２-2は、前記開口部２７と平面視同一形状の開口部２７-1を、頂部Ｔ２に沿ってヘッド本体１-1のトゥ，ヒール方向に設けて、当該開口部２７-1に、前記ウエイト部材２９と平面視同一形状のウエイト部材２９-2を、基準線Ｐを中心に左右対称に嵌合させたもので、本実施形態に於ても、頂部Ｔ１と頂部Ｔ２の交差部Ｘにウエイト部材２９-2の肉厚部３１-2が上方へ突設されている。
【００２７】
そして、第一実施形態と同様、肉厚部３１-2を除くウエイト部材２９-2はソール部５-1と均一な肉厚で成形されており、その外表面は連設部たる頂部Ｔ１，Ｔ２と同一の外形形状とされて、ソール部５-1と面一に成形されている。
尚、その他の構成は前記第一実施形態と同様であるので、同一のものには同一符号を付してそれらの説明は省略する。
【００２８】
而して、本実施形態によれば、ソール部５-1から外方に突出する頂部Ｔ２に沿って開口部２７-1を設けて、当該開口部２７-1にウエイト部材２９-2をソール部５-1から露出させて嵌合したことで、第一実施形態と同様、効果的にヘッド１２-2の低重心化が図られる。
また、基準線Ｐを中心に左右対称なウエイト部材２９-2が頂部Ｔ２に沿ってヘッド１２-2のトゥ，ヒール方向へ横長に配置されているため、トゥ，ヒール方向の慣性モーメントが大きくなって打球前のヘッド１２-2の軌道が安定すると共に、打球時のヘッド１２-2の左右のブレが抑制されることとなる。
【００２９】
そして、上記肉厚部３１-2をトゥ側にずらせば、シャフト２１を中心としてヘッド１２-2が回転し難くなってフックが防止でき、また、肉厚部３１-2をヒール側にずらせば、重心がシャフト２１側に移動してヘッド１２-2が回転し易くなるため、スライスを防止することができる等、種々設計の変更が可能となる。
このように本実施形態によれば、ソール部５-1の外方に突出する頂部Ｔ２に沿って開口部２７-1を設けて、当該開口部２７-1にウエイト部材２９-1を嵌合したことでヘッド１２-2の低重心化が図れると共に、基準線Ｐを中心に左右対称なウエイト部材２９-2を頂部Ｔ２に沿ってヘッド１２-2のトゥ，ヒール方向へ横長に配置したことで、トゥ，ヒール方向の慣性モーメントが大きくなって打球前のヘッド１２-2の軌道が安定し、また、打球時のヘッド１２-2の左右のブレが抑制される等、ヘッドバランスの最適化が図れることとなった。
【００３０】
また、ウエイト部材２９-2の形状（厚さ方向）や上述したように肉厚部３１-2の位置を任意に変更することで、設計の自由度が向上する利点を有する。
図８及び図９は請求項１乃至請求項６の第四実施形態に係るヘッドを示し、本実施形態は上述した第三実施形態の構成に加え、ソール部５-2のバック側ソール部５ｃ-1とサイド部７-1との連設部たる頂部Ｔ３に沿って平面視略矩形状の開口部３３を設けると共に、当該開口部３３に、これと平面視同一形状をなし、且つ前記ウエイト部材２９と同一材料からなるウエイト部材３５を嵌合させたもので、ウエイト部材３５の内面には、頂部Ｔ３上に断面円弧状の肉厚部３７が一カ所に突設されている。
【００３１】
そして、ウエイト部材３５の外表面は連設部たる頂部Ｔ３と同一の外形形状とされて、ソール部５-2及びサイド部７-1と面一に成形されている。
尚、その他の構成は図１の第一実施形態と同様であるので、同一のものには同一符号を付してそれらの説明は省略する。
而して、本実施形態によれば、既述した第三実施形態と同様の作用効果に加え、ウエイト部材３５がフェース側から離間したソール部５-2のバック側ソール部５ｃ-1とサイド部７-1との連設部たる頂部Ｔ３に装着された構造上、ヘッド１２-3の重心深度が深くなってボールが上がり易く高弾道の打球となると共に、スイートスポットが広がることとなる。
【００３２】
そして、従来、この種のヘッドでは、重心深度を深くするためにウエイト部材をサイド部のバック側に装着していたが、本実施形態は、バック側ソール部５ｃ-1とサイド部７-1との連設部たる頂部Ｔ３に装着したことで、ヘッド１２-3の低重心化と重心深度の調節が一つのウエイト部材３５で同時に行え、重心深度調節用のウエイト部材と低重心化を図る目的のウエイト部材を、別個に設ける必要がなくなる。
【００３３】
そして、斯様に重心深度調節用のウエイト部材と低重心化を図る目的のウエイト部材を別個に設けると、従来、ヘッドの重心が上がったり、重心深度を深く仕切れない等の不具合があったが、本実施形態の構成によれば斯かる不具合がない。
而も、既述したように本実施形態は、頂部Ｔ３に開口部３３を設けた構造上、サイド部７-1の内面にウエイト部材を接合した場合に比し、更に重心深度を深くすることができるので、ヘッドバランスの向上が図れ、また、重心アングルの調節幅が広がる等の利点を有する。
【００３４】
尚、上述した各実施形態では、面領域の連設部たる辺を頂部と称しているが、その他、例えば周辺の曲面を繋ぐ周辺の曲率より大きい曲率を有する曲面の変化部も、本明細書に於ける「頂部」に該当する。
【図面の簡単な説明】
【００３５】
【図１】請求項１乃至請求項６の第一実施形態に係るヘッドの正面図である。
【図２】図３のII−II線断面図である。
【図３】図１のIII−III線断面図である。
【図４】図１のIV−IV線断面図である。
【図５】請求項１乃至請求項６の第二実施形態に係るヘッドの断面図である。
【図６】請求項１乃至請求項６の第三実施形態に係るヘッドの断面図である。
【図７】請求項１乃至請求項６の第三実施形態に係るヘッドの断面図である。
【図８】請求項１乃至請求項６の第四実施形態に係るヘッドの断面図である。
【図９】請求項１乃至請求項６の第四実施形態に係るヘッドの背面図である。
【符号の説明】
【００３６】
１，１-1，１-2  ヘッド本体
５，５-1，５-2  ソール部
５ａ  トゥ側ソール部
５ｂ  ヒール側ソール部
５ｃ  バック側ソール部
７，７-1  サイド部
９，２７，２７-1，３３  開口部
１１  フェースプレート
１２，１２-1，１２-2，１２-3  ヘッド
２５  クラブ
２９，２９-1，２９-2，３５  ウエイト部材
３１，３１-1，３１-2，３７  肉厚部
３３
Ｐ，Ｑ  基準線
Ｔ１，Ｔ２，Ｔ３  頂部
Ｘ  交差部
【図１】
2005046507.tif 000003
【図２】
2005046507.tif 000004
【図３】
2005046507.tif 000005
【図４】
2005046507.tif 000006
【図５】
2005046507.tif 000007
【図６】
2005046507.tif 000008
【図７】
2005046507.tif 000009
【図８】
2005046507.tif 000010
【図９】
2005046507.tif 000011